(57)【要約】【課題】ボイドスラブ用のボイド管や螺旋管を所定の位置に納めるための金物の取付け作業はこの金物をセットする型枠ベニア板の下側での作業を伴い、非常に危険かつ辛辣である。また、型枠解体時の突出鋼線の危険かつ辛辣な切断作業。【解決手段】本発明による金物を用いることにより型枠ベニア板の上方だけの作業でボイド管を取り付けることができる。また型枠解体時の型枠ベニア板の下面に突出した鋼線を簡単に切断することのできる工具の発明。【選択図】　　　　図１
2004124675.tif 000002
【特許請求の範囲】
【請求項１】
ボイドスラブ用のボイド管や螺旋管をスラブ底面の型枠ベニア板から所定の高さに納めるための特徴的な形状を有する金物。
【請求項２】
請求項１の金物を型枠ベニア板に固定する際、型枠ベニア板の底部に突出する金物の一部分を切断するための工具。
【発明の詳細な説明】
【０００１】
【発明の属する技術分野】
本発明は、鉄筋コンクリート造の建築物に関する。かかる建築物におけるコンクリート床即ちスラブは、材料の節約、軽量化、遮音等を目的として、しばしばボイドスラブで施工される。
本発明は、ボイドスラブで使用されるボイド管や螺旋管を簡易的かつ強固に固定する金物に関する。
【０００２】
【従来の技術】
従来、ボイドスラブ用のボイド管や螺旋管をスラブ底面の型枠ベニア板から所定の高さに納めるための金物は、通称Ｐコンと呼ばれる壁や梁等の型枠の膨らみ防止用金物の一部を利用しているため、その取付け、解体及び補修などの一連の作業も壁や梁等の型枠の施工時と全く同じとなる。このような金物を当該階のスラブの型枠に取り付けようとすれば、その作業はその下の階の天井側で行うこととなり、所謂高所作業の危険性、無理な姿勢での作業などを伴うこととなる。加えてＰコンを取り除いたあとの補修作業も高所であるが故に辛辣なものとなっている。
【０００３】
【発明が解決しようとする課題】
ボイドスラブ用のボイド管や螺旋管をスラブ底面の型枠ベニア板から所定の高さに納めかつこれらの管がコンクリートの打設時に受ける浮力や押圧力により移動しないように固定する施工に際して、その作業を当該階の床上で行うこと。さらにコンクリート床の型枠を解体する際の前処理作業の軽減、同じく解体後の補修作業をなくすこと。
【０００４】
【課題を解決するための手段】
本発明者は鋭意研究した結果、ボイド管や螺旋管をスラブ底面の型枠ベニア板から所定の高さに納めることのできる金物を造ることに成功した。この金物は、当該階床上の作業だけで型枠ベニア板に取り付けることができることを特徴とする。
この金物にボイド管を載せたときボイド管が自重で撓まない程度のピッチで金物を取付けてからボイド管をセットし、予め金物に取り付けてある２本のナマシ線でボイド管を締め付ける。そして型枠を解体する際には本発明による工具を用いて型枠ベニア板の底部に突出している金物の一部分を切断する。
【０００５】
以下、本発明を図に従い、詳しく説明する。
図１の（ａ）、（ｂ）は本発明によるボイド管等を支持する金物で、主要部分は鋼線をプレス加工して造られている。ここで符号１はボイド管等を所定の高さにセットするための足の部分でその足元は、符号２の如きの樹脂による防錆処理が施されている。符号３はボイド管を載せる部分で、使用するボイド管の外径に合わせた曲率を有し、符号１の２本の足と溶接されている。符号４はボイド管を縛り付けて固定するためのなまし鉄線である。符号５はクランク状の加工鋼線で、その長軸部はネジ加工が施され、先端部は符号３の曲率鋼線と溶接されている。またこのネジ部には、予め符号６のごときの主要部がプラスチック製でネジ部に金属ナットを埋め込んだ蝶ネジが入れてある。そしてこの蝶ネジを締めることにより本発明による金物全体が、型枠のベニア板に強固に固定される仕組みである。図２はこの仕組みの詳細な断面図である。
また型枠のベニア板を解体する際、除去する必要のあるクランクの下部を折れ易くするため（ａ）（ｂ）いづれのクランク状鋼線も符号７の切欠きが入っている。
【０００６】
図３は金物（ａ）の使用状態をボイド管の軸方向から見た図である。ここで符号８は型枠のベニア板、符号９は下筋、符号１０はボイド管、符号１１は上筋、符号１２はスラブのコンクリートである。
図４は金物（ａ）の使用状態をボイド管の側面から見た図である。
図５は金物（ｂ）の使用状態をボイド管の軸方向から見た図である。図６は金物（ｂ）の使用状態をボイド管の側面から見た図である。
図７は型枠を解体する際、このベニア板の底部に出ている符号５のクランク状鋼線を脚立などの足場を使うことなく安全かつ簡単に切断することのできる工具である。ここで符号１３は符号１５の長パイプを回転させるためのハンドル、符号１４はコロ型のにぎり部、そして符号１６はベニア板の底部に出ている符号５の鋼線を包み込むように帯鋼をＵ字形に加工したもので、符号１５の長パイプの先端に溶接してある。即ちこのＵ字形の部分にベニア板の底部に出ている鋼線を嵌め込んでハンドルを回すことにより、簡単に鋼線を切欠き部で折ることができるのである。図８はこの先端部のイメージ図である。
【０００７】
以上の如くの本発明による金物を用いたボイド管を所定の位置に固定するための一連の作業は、すべて当該する階の床上で行うことができる。したがって作業者は、安全かつ簡単にボイド管の取付け作業を行うことができる。
さらにコンクリート打設経時後に型枠のベニア板を解体する際の突出した鋼線の処理も本発明による工具を使用して安全かつ簡単に切断できるのである。
【０００８】
【実施例】
スラブ厚３００ｍｍ、鉄筋径Ｄ１３（下筋、上筋とも）、ボイド管口径１５０ｍｍ、かぶり３０ｍｍという条件のボイドスラブで、ボイド管の２０ケ所を本発明による金物を使用してボイド管の固定作業ならびにコンクリートの打設を行った。その結果、従来一ヶ所固定するのに平均１０分間を要していた作業が、平均５分間で済み大幅に短縮された。またコンクリートの打設に際してもボイド管がコンクリートから受ける浮力及び押圧力によるボイド管の変位は、全く認められなかった。
また型枠解体時のベニア板の下に突出した金物の鋼線の処理も本発明による工具で簡単に切断することができた。
【０００９】
【発明の効果】
以上説明した本発明による金物でボイド管の取付け作業を行えば、作業者は当該階床上だけの作業でボイド管の取付けを完了することができる。したがって作業者は、安全かつ簡単にボイド管の取付け作業を行うことができる。さらに型枠解体時の処理もスラブ下に突出した鋼線を本発明による工具で簡単に切断でき、従来のような補修処理の必要もない。
【図面の簡単な説明】
【図１】（ａ）、（ｂ）はともに本発明による金物。
【図２】蝶ネジ部分の詳細な断面図。
【図３】本発明による金物（ａ）の使用状態をボイド管の軸方向から見た図。
【図４】金物（ａ）の使用状態をボイド管の側面から見た図。
【図５】本発明による金物（ｂ）の使用状態をボイド管の軸方向から見た図。
【図６】金物（ｂ）の使用状態をボイド管の側面から見た図。
【図７】突出鋼線を切断するための工具。
【図８】工具の先端部。
【符号の説明】
１，　金物の足
２，　足元の樹脂による防錆
３，　金物のボイド管を載せる部分
４，　なまし鉄線
５，　クランク状の鋼線
６，　蝶ネジ
７，　切欠き
８，　型枠のベニア板
９，　スラブの下筋
１０，ボイド管
１１，スラブの上筋
１２，スラブのコンクリート
１３，ハンドル
１４，にぎり部
１５，長パイプ
１６，Ｕ字形に加工した帯鋼
【図１】
2004124675.tif 000003
【図２】
2004124675.tif 000004
【図３】
2004124675.tif 000005
【図４】
2004124675.tif 000006
【図５】
2004124675.tif 000007
【図６】
2004124675.tif 000008
【図７】
2004124675.tif 000009
【図８】
2004124675.tif 000010